(57)【要約】【課題】ＥＰＧで番組表を確認する際に、番組の内容も早送りで早く確認することができるようにした情報記録再生装置を提供する。【解決手段】記録時間記録処理部は、ＥＰＧデータに従って番組を受信し、装置が記録可能な状態であれば、受信したチャンネルの番組を所定時間だけＨＤに記録させる。同じチャンネルの次の番組の放送が開始されたとき、同チャンネルの次の番組を所定時間だけＨＤに記録させる。このような処理を全チャンネルに対して繰り返して行うことにより、全番組の所定時間分の映像がＨＤに記録されることになる。ＥＰＧデータによる番組表をテレビ受信機に表示させるための操作が行われ、番組表の中の番組が指定されると、サムネイル表示処理部は、指定された番組が所定時間記録済みであると判定したとき、ＨＤから所定時間記録済みの番組の映像を読み出しテレビ受信機に早送り再生でサムネイル表示させる。【選択図】図１
2007180993.tif 000002
【特許請求の範囲】
【請求項１】
テレビ放送信号に含まれるＥＰＧデータにより表示手段に番組表を表示させる機能を有する情報記録再生装置において、
ＥＰＧデータに従って番組を受信する番組受信手段と、記録可能な状態であれば前記受信したチャンネルの番組を記録媒体に所定時間記録させると共に、この番組の放送が終了して次の番組の放送が開始されたとき、同チャンネルの次の番組を記録媒体に所定時間記録させる記録処理手段と、この記録処理手段により同チャンネルの１週間分の所定時間の番組の記録が終了したとき、次のチャンネルを選択する次チャンネル選択手段と、前記選択された次のチャンネルに対しても同様に、番組を記録媒体に所定時間記録させると共に、この番組の放送が終了して次の番組の放送が開始されたとき、同チャンネルの次の番組を記録媒体に所定時間記録させる次チャンネル記録処理手段と、今回所定時間記録する番組は以前所定時間記録された番組であるか否かを判定する記録済み番組判定手段と、今回所定時間記録する番組は以前所定時間記録された番組であると判定され、更新指示があったときは、以前所定時間記録された番組の映像を今回所定時間記録された番組の映像に更新する映像更新手段とを有する所定時間記録処理部と、
ＥＰＧデータによる番組表の表示手段への表示指示がされ、その番組表からサムネイルで内容を見たい番組が指定されたとき、この指定された番組は前記所定時間記録された番組であるか否かを判定する番組判定手段と、前記指定された番組は前記所定時間記録された番組であると判定されたとき、記録媒体から前記所定時間記録された番組の映像を読み出し、表示手段に早送り再生でサムネイル表示するサムネイル表示処理手段とを有するサムネイル表示処理部とを備えたことを特徴とする情報記録再生装置。
【請求項２】
テレビ放送信号に含まれるＥＰＧデータにより表示手段に番組表を表示させる機能を有する情報記録再生装置において、
ＥＰＧデータに従って受信したチャンネルの番組を記録媒体に所定時間記録させると共に、この番組の放送が終了して次の番組の放送が開始されたとき、同チャンネルの次の番組を記録媒体に所定時間記録させていき、同チャンネルの１週間分の番組の記録が終了したとき、次に選択されたチャンネルの番組に対しても同様に、１週間分の番組を記録媒体に所定時間記録させる所定時間記録処理部と、
ＥＰＧデータによる番組表の表示手段への表示指示がされ、その番組表からサムネイルで内容を見たい番組が指定されたとき、この指定された番組は前記所定時間記録された番組であると判定すると、記録媒体から前記所定時間記録された番組の映像を読み出し、表示手段に早送り再生でサムネイル表示するサムネイル表示処理部とを備えたことを特徴とする情報記録再生装置。
【請求項３】
前記所定時間記録処理部は、ＥＰＧデータに従って番組を受信する番組受信手段と、記録可能な状態であれば前記受信したチャンネルの番組を記録媒体に所定時間記録させると共に、この番組の放送が終了して次の番組の放送が開始されたとき、同チャンネルの次の番組を記録媒体に所定時間記録させる記録処理手段と、この記録処理手段により同チャンネルの１週間分の所定時間の番組の記録が終了したとき、次のチャンネルを選択する次チャンネル選択手段と、前記選択された次のチャンネルに対しても同様に、番組を記録媒体に所定時間記録させると共に、この番組の放送が終了して次の番組の放送が開始されたとき、同チャンネルの次の番組を記録媒体に所定時間記録させる次チャンネル記録処理手段とを有することを特徴とする請求項２に記載の情報記録再生装置。
【請求項４】
前記所定時間記録処理部は、今回所定時間記録する番組は以前所定時間記録された番組であるか否かを判定する記録済み番組判定手段と、今回所定時間記録する番組は以前所定時間記録された番組であると判定され、更新指示があったときは、以前所定時間記録された番組の映像を今回所定時間記録された番組の映像に更新する映像更新手段とを有することを特徴とする請求項３に記載の情報記録再生装置。
【請求項５】
前記サムネイル表示処理部は、ＥＰＧデータによる番組表の表示手段への表示指示がされ、その番組表からサムネイルで内容を見たい番組が指定されたとき、この指定された番組は前記所定時間記録された番組であるか否かを判定する番組判定手段と、前記指定された番組は前記所定時間記録された番組であると判定されたとき、記録媒体から前記所定時間記録された番組の映像を読み出し、表示手段に早送り再生でサムネイル表示するサムネイル表示処理手段とを有することを特徴とする請求項２に記載の情報記録再生装置。
【発明の詳細な説明】
【技術分野】
【０００１】
本発明は、テレビ放送信号に含まれるＥＰＧデータにより表示手段に番組表を表示させる機能を有するハードディスクレコーダなどの情報記録再生装置に関する。
【背景技術】
【０００２】
従来から知られているように、視聴者に対してテレビ番組の放送予定を知らせるために、新聞や雑誌に番組表が掲載されている。また、近年においては、インターネットによる番組案内も周知である他、特にＢＳデジタル放送では、テレビ放送信号にＥＰＧ（電子番組案内）データを重畳して各家庭などに配信し、各家庭などのテレビ受信機でＥＰＧデータによる番組表を表示させ、番組案内を見ることができるようになっている。
【０００３】
しかし、新聞や雑誌に掲載される番組表による案内手段にあっては、主に紙面の都合上、番組のタイトルや簡単な内容が掲載されるにすぎず、視聴者に対して番組の内容を十分に伝えることができない。また、インターネットによる番組案内や、ＥＰＧによる番組案内にあっても、テレビ受信機などの画面上で番組のタイトルや簡単な内容を確認することができるに止まり、各番組の概要を映像で確認することはできない。
【０００４】
ところで、ハードディスクに対して映像音声情報の記録／再生を行うハードディスク装置は、受信したテレビ放送信号に含まれるＥＰＧデータによりテレビ受信機などの画面上に番組表を表示させる機能を有しているものがあり、この機能により、テレビ受信機などの画面上に番組表を表示させ、番組のタイトルや簡単な内容を確認できるようになっている。しかし、このようなハードディスク装置の番組表表示機能によっても、テレビ受信機などの画面上で番組のタイトルや簡単な内容を確認することができるに止まり、各番組の概要を映像で確認することはできない。
【０００５】
そこで、特許文献１の従来技術では、受信映像を所定期間サンプリングして番組情報を作成してハードディスクに蓄積し、未来の番組表と結合することで、予測番組情報を作成し、動画による表示にて番組内容を予測把握できるようにしている。また、特許文献２の従来技術では、送信機から送信された番組紹介スポットを受信蓄積し、指定操作によりＥＰＧ画面上で番組概要を視聴できるようにしている。
【特許文献１】特開２００５−１８４５３０号公報
【特許文献２】特開２００３−３２２０５号公報
【発明の開示】
【発明が解決しようとする課題】
【０００６】
しかしながら、特許文献１の従来技術では、例えば、ｃチャンネルを受信した場合、所定のタイミングを１０分に定め、所定の期間を１０秒と定め、１０分おきに受信した映像から１０秒だけ動画を抜き出し、この動画を番組情報としてハードディスクに蓄積し、未来の番組と結合させることで、予測番組情報を作成し、動画による表示にて番組内容を予測把握できるようにしているが、各番組の動画を１０秒ずつ抜き出しても、各番組が１０分で終わる番組ばかりではないので、その１０秒の動画が各番組の番組情報になるとは限らない。
【０００７】
即ち、この従来技術では、同チャンネルの番組が放送開始時刻に従って変わって行くのに応じて、各番組の内容を示す動画のサンプリングを行わなければならないが、これに対する処理が開示されていない。また、例えば、サンプリングした１０秒の動画がコマーシャルだけであれば、何の番組が分からなくなる。そこで、例えば、番組の動画を１０分抜き出せば、コマーシャルが１分であれば、コマーシャルが終った後、引き続き番組が再生されるので、番組の内容が分かるが、再生に１０分を要するので、番組内容の把握に時間がかかり過ぎて、ユーザにとっては使い勝手が悪くなる。
【０００８】
また、特許文献２の従来技術では、前述したように、送信機から送信された番組紹介スポットを受信蓄積し、指定操作によりＥＰＧ画面上で番組概要を視聴できるようにしているが、送信機から番組紹介スポットが送信されなければ、ＥＰＧ画面上で番組概要を視聴することができず、受信機側で番組紹介スポットを生成して番組の内容を動画としてサムネイル表示するものではない。
【０００９】
本発明は、上記のような課題を解決するためになされたもので、番組の内容を動画でサムネイル表示するための処理を全チャンネルの番組に対して行い、ＥＰＧで番組表を確認する際に、番組の内容も早送りで早く確認することができるようにした情報記録再生装置を提供することを目的とする。
【課題を解決するための手段】
【００１０】
上記目的を達成するために、請求項１の発明は、テレビ放送信号に含まれるＥＰＧデータにより表示手段に番組表を表示させる機能を有する情報記録再生装置において、ＥＰＧデータに従って番組を受信する番組受信手段と、記録可能な状態であれば前記受信したチャンネルの番組を記録媒体に所定時間記録させると共に、この番組の放送が終了して次の番組の放送が開始されたとき、同チャンネルの次の番組を記録媒体に所定時間記録させる記録処理手段と、この記録処理手段により同チャンネルの１週間分の所定時間の番組の記録が終了したとき、次のチャンネルを選択する次チャンネル選択手段と、前記選択された次のチャンネルに対しても同様に、番組を記録媒体に所定時間記録させると共に、この番組の放送が終了して次の番組の放送が開始されたとき、同チャンネルの次の番組を記録媒体に所定時間記録させる次チャンネル記録処理手段と、今回所定時間記録する番組は以前所定時間記録された番組であるか否かを判定する記録済み番組判定手段と、今回所定時間記録する番組は以前所定時間記録された番組であると判定され、更新指示があったときは、以前所定時間記録された番組の映像を今回所定時間記録された番組の映像に更新する映像更新手段とを有する所定時間記録処理部と、ＥＰＧデータによる番組表の表示手段への表示指示がされ、その番組表からサムネイルで内容を見たい番組が指定されたとき、この指定された番組は前記所定時間記録された番組であるか否かを判定する番組判定手段と、前記指定された番組は前記所定時間記録された番組であると判定されたとき、記録媒体から前記所定時間記録された番組の映像を読み出し、表示手段に早送り再生でサムネイル表示するサムネイル表示処理手段とを有するサムネイル表示処理部とを備えたことを特徴とする情報記録再生装置を提供する。
【００１１】
この構成において、番組受信手段は、ＥＰＧデータに従って番組を受信し、記録可能であれば、記録処理手段は、前記受信したチャンネルの番組を所定時間だけ記録媒体に記録させる。この番組の放送が終了して次の番組の放送が開始されると、記録処理手段は、同チャンネルの番組を所定時間だけ記録媒体に記録させる。
【００１２】
このような処理を１日分の番組に対して行い、同チャンネルの１日分の所定時間分の番組の記録が終了すると、同チャンネルの翌日の番組に対しても同様な処理を行う。そして、１週間分の番組に対する所定時間分の記録が終了すると、次チャンネル選択手段は、ＥＰＧデータに従った次のチャンネルを選択する。この後は、同様な処理を行い、次のチャンネルに対する１週間分の番組に対する所定時間分の記録が終了する。以上のような処理を全チャンネルに対して繰り返して行うことにより、全番組の所定時間分の映像が記録媒体に記録されることになる。
【００１３】
全チャンネルの番組に対して所定時間記録する処理が終了して、再び、全チャンネルの番組に対して所定時間記録する処理を行う場合、記録済み番組判定手段は、今回所定時間記録する番組は以前記録済みであるか否かを判定する。今回所定時間記録する番組は以前記録済みであると判定され、更新指示されている場合には、映像更新手段は、記録媒体に以前所定時間記録した番組の映像を今回所定時間記録した番組の映像に更新する。
【００１４】
ＥＰＧデータによる番組表を表示手段に表示させるための操作が行われ、番組表の中の番組が指定され、番組判定手段は、指定された番組が所定時間記録済みであると判定すると、サムネイル表示処理手段は、記録媒体にから所定時間記録済みの番組の映像を読み出し、その映像を表示手段に早送り再生でサムネイル表示させる。
【００１５】
この構成によれば、所定時間記録処理部を設けたので、番組の内容を動画でサムネイル表示するための処理を全チャンネルの番組に対して行うことができ、また、記録媒体に前回所定時間記録された番組の映像を今回所定時間記録された番組の映像に更新でき、これにより、前回放送された番組の内容が分かり易くなり、また、記録媒体の記録領域も無駄に使用されることがない。また、サムネイル表示処理部を設けたので、ＥＰＧで番組表を確認する際に、記録媒体に所定時間記録された番組の映像を早送り再生でサムネイル表示することができ、番組の内容も早く確認することができる。
【００１６】
請求項２の発明は、テレビ放送信号に含まれるＥＰＧデータにより表示手段に番組表を表示させる機能を有する情報記録再生装置において、ＥＰＧデータに従って受信したチャンネルの番組を記録媒体に所定時間記録させると共に、この番組の放送が終了して次の番組の放送が開始されたとき、同チャンネルの次の番組を記録媒体に所定時間記録させていき、同チャンネルの１週間分の番組の記録が終了したとき、次に選択されたチャンネルの番組に対しても同様に、１週間分の番組を記録媒体に所定時間記録させる所定時間記録処理部と、ＥＰＧデータによる番組表の表示手段への表示指示がされ、その番組表からサムネイルで内容を見たい番組が指定されたとき、この指定された番組は前記所定時間記録された番組であると判定すると、記録媒体から前記所定時間記録された番組の映像を読み出し、表示手段に早送り再生でサムネイル表示するサムネイル表示処理部とを備えたことを特徴とする情報記録再生装置を提供する。
【００１７】
この構成において、所定時間記録処理部は、ＥＰＧデータに従って受信したチャンネルの番組を記録媒体に所定時間記録させると共に、この番組の放送が終了して次の番組の放送が開始されたとき、同チャンネルの次の番組を記録媒体に所定時間記録させていき、同チャンネルの１週間分の番組の記録が終了したとき、次に選択されたチャンネルの番組に対しても同様に、１週間分の番組を記録媒体に所定時間記録させる。サムネイル表示処理部は、ＥＰＧデータによる番組表の表示手段への表示指示がされ、その番組表からサムネイルで内容を見たい番組が指定されたとき、この指定された番組は前記所定時間記録された番組であると判定すると、記録媒体から前記所定時間記録された番組の映像を読み出し、表示手段に早送り再生でサムネイル表示させる。
【００１８】
この構成によれば、番組の内容を動画でサムネイル表示するための処理を全チャンネルの番組に対して行うことができ、また、ＥＰＧで番組表を確認する際に、記録媒体に所定時間記録された番組の映像を早送り再生でサムネイル表示することができ、したがって、番組の内容も早く確認することができる。
【００１９】
請求項３の発明では、請求項２の発明において、前記所定時間記録処理部は、ＥＰＧデータに従って番組を受信する番組受信手段と、記録可能な状態であれば前記受信したチャンネルの番組を記録媒体に所定時間記録させると共に、この番組の放送が終了して次の番組の放送が開始されたとき、同チャンネルの次の番組を記録媒体に所定時間記録させる記録処理手段と、この記録処理手段により同チャンネルの１週間分の所定時間の番組の記録が終了したとき、次のチャンネルを選択する次チャンネル選択手段と、前記選択された次のチャンネルに対しても同様に、番組を記録媒体に所定時間記録させると共に、この番組の放送が終了して次の番組の放送が開始されたとき、同チャンネルの次の番組を記録媒体に所定時間記録させる次チャンネル記録処理手段とを有する。
【００２０】
したがって、前記所定時間記録処理部は、番組受信処理、記録処理、次チャンネル選択処理、および次チャンネル記録処理を実現でき、これにより、番組の内容を動画でサムネイル表示するための処理を全チャンネルの番組に対して行うことが可能になる。
【００２１】
請求項４の発明では、請求項３の発明において、前記所定時間記録処理部は、今回所定時間記録する番組は以前所定時間記録された番組であるか否かを判定する記録済み番組判定手段と、今回所定時間記録する番組は以前所定時間記録された番組であると判定され、更新指示があったときは、以前所定時間記録された番組の映像を今回所定時間記録された番組の映像に更新する映像更新手段とを有する。
【００２２】
したがって、前記所定時間記録処理部は、記録済み番組判定処理および映像更新処理を実現でき、これにより、前回放送された番組の内容が分かり易くなり、また、記録媒体の記録領域も無駄に使用されずに済む。
【００２３】
請求項５の発明では、請求項２の発明において、前記サムネイル表示処理部は、ＥＰＧデータによる番組表の表示手段への表示指示がされ、その番組表からサムネイルで内容を見たい番組が指定されたとき、この指定された番組は前記所定時間記録された番組であるか否かを判定する番組判定手段と、前記指定された番組は前記所定時間記録された番組であると判定されたとき、記録媒体から前記所定時間記録された番組の映像を読み出し、表示手段に早送り再生でサムネイル表示するサムネイル表示処理手段とを有する。
【００２４】
したがって、前記サムネイル表示処理部は、番組判定処理およびサムネイル表示処理を実現でき、これにより、ＥＰＧで番組表を確認する際に、記録媒体に所定時間記録された番組の映像を早送り再生でサムネイル表示することができ、番組の内容も早く確認することができる。
【発明の効果】
【００２５】
以上のように本発明によれば、テレビ放送信号に含まれるＥＰＧデータにより表示手段に番組表を表示させる機能を有する情報記録再生装置において、ＥＰＧデータに従って番組を受信する番組受信手段と、記録可能な状態であれば前記受信したチャンネルの番組を記録媒体に所定時間記録させると共に、この番組の放送が終了して次の番組の放送が開始されたとき、同チャンネルの次の番組を記録媒体に所定時間記録させる記録処理手段と、この記録処理手段により同チャンネルの１週間分の所定時間の番組の記録が終了したとき、次のチャンネルを選択する次チャンネル選択手段と、前記選択された次のチャンネルに対しても同様に、番組を記録媒体に所定時間記録させると共に、この番組の放送が終了して次の番組の放送が開始されたとき、同チャンネルの次の番組を記録媒体に所定時間記録させる次チャンネル記録処理手段と、今回所定時間記録する番組は以前所定時間記録された番組であるか否かを判定する記録済み番組判定手段と、今回所定時間記録する番組は以前所定時間記録された番組であると判定され、更新指示があったときは、以前所定時間記録された番組の映像を今回所定時間記録された番組の映像に更新する映像更新手段とを有する所定時間記録処理部と、ＥＰＧデータによる番組表の表示手段への表示指示がされ、その番組表からサムネイルで内容を見たい番組が指定されたとき、この指定された番組は前記所定時間記録された番組であるか否かを判定する番組判定手段と、前記指定された番組は前記所定時間記録された番組であると判定されたとき、記録媒体から前記所定時間記録された番組の映像を読み出し、表示手段に早送り再生でサムネイル表示するサムネイル表示処理手段とを有するサムネイル表示処理部とを備えたので、番組の内容を動画でサムネイル表示するための処理を全チャンネルの番組に対して行うことができ、また、記録媒体に前回所定時間記録された番組の映像を今回所定時間記録された番組の映像に更新でき、これにより、前回放送された番組の内容が分かり易くなり、また、記録媒体の記録領域も無駄に使用されることがない。また、ＥＰＧで番組表を確認する際に、記録媒体に所定時間記録された番組の映像を早送り再生でサムネイル表示することができ、番組の内容も早く確認することができる。
【００２６】
また、本発明によれば、テレビ放送信号に含まれるＥＰＧデータにより表示手段に番組表を表示させる機能を有する情報記録再生装置において、ＥＰＧデータに従って受信したチャンネルの番組を記録媒体に所定時間記録させると共に、この番組の放送が終了して次の番組の放送が開始されたとき、同チャンネルの次の番組を記録媒体に所定時間記録させていき、同チャンネルの１週間分の番組の記録が終了したとき、次に選択されたチャンネルの番組に対しても同様に、１週間分の番組を記録媒体に所定時間記録させる所定時間記録処理部と、ＥＰＧデータによる番組表の表示手段への表示指示がされ、その番組表からサムネイルで内容を見たい番組が指定されたとき、この指定された番組は前記所定時間記録された番組であると判定すると、記録媒体から前記所定時間記録された番組の映像を読み出し、表示手段に早送り再生でサムネイル表示するサムネイル表示処理部とを備えたので、番組の内容を動画でサムネイル表示するための処理を全チャンネルの番組に対して行うことができ、また、ＥＰＧで番組表を確認する際に、記録媒体に所定時間記録された番組の映像を早送り再生でサムネイル表示することができ、したがって、番組の内容も早く確認することができる。
【発明を実施するための最良の形態】
【００２７】
以下、添付図面を参照しつつ、本発明の実施の形態について説明する。図１は本発明の一実施形態に係る複合型記録再生装置の構成を示すブロック図である。
【００２８】
この複合型記録再生装置１は、光ディスクとしてのＤＶＤ（デジタル・バーサタイル・ディスク）１３に対して情報の記録／再生を行うＤＶＤレコーダである光ディスク装置２と、ＨＤ（ハードディスク）１４に対して情報の記録／再生を行うハードディスク装置３と、図示しないアンテナからのテレビ放送信号を受信し、所望のチャンネルのテレビ放送信号を選択して映像音声信号として出力するチューナ４と、光ディスク装置２またはハードディスク装置３から出力された映像音声信号を復号するデコーダ５と、チューナ４が受信可能な放送チャンネルを記憶すると共にシステムコントローラ１０の動作に必要なプログラムなどを記憶するフラッシュＲＯＭ６と、デコーダ５で復号された映像信号をテレビジョン受信機１２で表示可能な映像信号に変換する映像出力部７と、デコーダ５で復号された音声信号をテレビジョン受信機１２で出力可能な音声信号に変換する音声出力部８と、リモコン１１から送信された赤外光の各種の指令信号を受信し、受信した赤外光の指令信号を電気信号の指令信号に変換し、この指令信号をシステムコントローラ１０に入力するリモコン受信部９と、装置全体を制御する前記システムコントローラ１０とを備えている。
【００２９】
システムコントローラ１０は、本実施形態の特徴として、ＥＰＧデータに従って番組を受信する番組受信手段と、記録可能な状態であれば前記受信したチャンネルの番組をＨＤ１４に所定時間記録させると共に、この番組の放送が終了して次の番組の放送が開始されたとき、ハードディスク装置３を駆動させ、同チャンネルの次の番組をＨＤ１４に所定時間記録させる記録処理手段と、この記録処理手段により同チャンネルの１週間分の番組の記録が終了したとき、チューナ４を制御して次のチャンネルを選択する次チャンネル選択手段と、前記選択された次のチャンネルに対しても同様に、番組をＨＤ１４に所定時間記録させると共に、この番組の放送が終了して次の番組の放送が開始されたとき、同チャンネルの次の番組をＨＤ１４に所定時間記録させる次チャンネル記録処理手段と、今回所定時間記録する番組は以前所定時間記録された番組であるか否かをＥＰＧデータにより判定する記録済み番組判定手段と、今回所定時間記録する番組は以前所定時間記録された番組であると判定され、更新指示があったときは、以前所定時間記録された番組の映像を今回所定時間記録された番組の映像に更新する映像更新手段とを有する所定時間記録処理部１０１を備えている。
【００３０】
また、システムコントローラ１０は、ＥＰＧデータによる番組表のテレビジョン受信機１２への表示指示がされ、その番組表からサムネイルで内容を見たい番組が指定されたとき、この指定された番組は前記所定時間記録された番組であるか否かを判定する番組判定手段と、前記指定された番組は前記所定時間記録された番組であると判定されたとき、ＨＤ１４から前記所定時間記録された番組の映像を読み出し、テレビ受信機１２に早送り再生でサムネイル表示するサムネイル表示処理手段とを有するサムネイル表示処理部１０２を備えている。
【００３１】
図２は本実施形態の複合型記録再生装置に備えられたチューナの構成を示すブロック図である。
【００３２】
このチューナ４は、放送信号を受信するアンテナ１１１、受信した放送信号の中から所望のチャンネルの放送信号を選局する選局部１１２、この選局部１１２から出力された映像音声データの復調および誤りの訂正処理を行う復調・誤り訂正部１１３、映像データと音声データとＥＰＧデータとが多重化されているデジタル放送信号から各データを分離抽出するデマルチプレクサ１１５、復調されたデジタル放送信号に付加されている不正視聴防止用のスクランブル信号を解除するデスクランブラ１１４、およびデジタル圧縮された音声データをアナログの音声信号にデコードする音声デコーダ１１９を備えている。音声デコーダ１１９からの音声信号は、図１中の音声出力部８に供給される。なお、選局部１１２は、アナログテレビの放送信号も受信する回路も有する場合には、選局部１１２からの映像音声信号を図示しない映像音声処理回路を通すことによって映像信号および音声信号をチューナ４から出力させることができる。
【００３３】
また、このチューナ４は、デジタル圧縮された映像データを展開してＲＧＢ信号にデコードする映像デコーダ１２０、この映像デコーダ１２０から出力されるＲＧＢ信号を１フレーム分格納するフレームメモリ１２１、ＲＧＢ信号を例えばコンポジット映像信号にダウンコンバートする信号変換回路１２２、デマルチプレクサ１１５により分離されたＥＰＧデータを復調するＥＰＧ復調部１１７、ＥＰＧデータなどが記録されるメモリ１１６、およびＥＰＧデータに基づいてテレビジョン受信機１２（図１参照）に表示する番組表を作成するＯＳＤ（オン・スクリーン・ディスプレイ）処理部１１８を備えている。信号変換回路１２２からの映像信号は、図１中の映像出力部７に供給される。
【００３４】
このように構成されたチューナ４において、リモコン１１（図１参照）からのチャンネル選択の入力操作に従って、システムコントローラ１０（図１参照）がデスクランブラ１１４やデマルチプレクサ１１５に制御信号を出力し、その制御信号に基づきデスクランブラ１１４やデマルチプレクサ１１５で選択チャンネルの信号が抽出され、選択チャンネルのデジタル圧縮信号が音声デコーダ１１９および映像デコーダ１２０でデコードされて、その選択チャンネルの音声信号および映像信号がテレビ受信機１２（図１参照）に出力される。なお、視聴契約が必要な有料チャンネルに関しては、デスクランブラ１１４にて選択チャンネルの信号をデスクランブルする際にメモリ１１６から視聴契約情報が読み出され、視聴契約が結ばれている場合だけ正常にデスクランブルが実行され、視聴が可能となる。
【００３５】
図３は本実施形態において番組を所定時間記録する処理を説明するためのフローチャートである。このフローチャートおよび図１、図２を参照して番組を所定時間記録する処理について説明する。
【００３６】
先ず、複合型記録再生装置１は、テレビ放送局からの放送信号をアンテナ１１１を介してチューナ４で受信し、チューナ４の選局部１１２で選局された放送信号に重畳されたＥＰＧデータをメモリ１１６に記憶させる。そして、システムコントローラ１０は、メモリ１１６に記憶されたＥＰＧデータに従ってチューナ４を制御して番組を受信する（ステップＳ１）。即ち、リモコン１１の操作により設定されたチャンネル、または予め初期設定されているチャンネルの番組をＥＰＧデータに示される放送開始時刻などに従って順次所定時間記録するために、番組の受信を行う。所定時間は、例えば、５分や１０分などリモコン１１の操作により自由に設定できる。
【００３７】
次に、システムコントローラ１０は、前記受信した番組を所定時間だけＨＤ１４に記録させるために、ハードディスク装置３の状態が記録可能（録画可能）な状態になっているか否かを判定する（ステップＳ２）。記録可能な状態とは、少なくとも、ハードディスク装置３および光ディスク装置２が記録動作をしていなくてチューナ１１２を使用していない状態である。また、チューナ１１２が使用されてなく、ハードディスク装置３が電源オフしている状態、ハードディスク装置３が再生動作している状態（再生中でも裏録画で記録は可能であるため）、光ディスク装置２が再生動作している状態であっても良い。
【００３８】
記録可能であると判定されると（ステップＳ２）、システムコントローラ１０１の所定時間記録処理部１０１の記録処理手段は、ハードディスク装置３を駆動させ、メモリ１１６に記憶されたＥＰＧデータに従ってチューナ４により前記受信したチャンネルの番組を所定時間ＨＤ１４に記録させる（ステップＳ３）。この番組の放送が終了して、次の番組の放送が開始され、所定時間記録処理部１０１の記録処理手段は、同チャンネルのＥＰＧデータに従った次の番組をチューナ４により受信すると（ステップＳ４）、ハードディスク装置３を駆動させ、同チャンネルの番組を所定時間ＨＤ１４に記録させる（ステップＳ５）。
【００３９】
次も同様に、所定時間記録処理部１０１の記録処理手段は、同チャンネルのＥＰＧデータに従った更に次の番組の放送が開始され、同チャンネルの更に次の番組をチューナ４により受信すると（ステップＳ４）、ハードディスク装置３を駆動させ、同チャンネルの番組を所定時間ＨＤ１４に記録させる（ステップＳ５）。このような処理を１日分の番組に対して行い、同チャンネルの１日分の番組の所定時間分の記録が終了すると（ステップＳ６）、同チャンネルの翌日の番組に対しても同様な処理を行う。
【００４０】
同チャンネルの１週間分の番組に対する記録が終了すると（ステップＳ７）、システムコントローラ１０の所定時間記録処理部１０１の次チャンネル選択手段は、チューナ４を制御して、ＥＰＧデータに従った次のチャンネルを選択する（ステップＳ８）。この後は、同様にステップＳ３の処理、ステップＳ４の処理、ステップＳ５の処理を行い、同チャンネルの１日分の番組の所定時間分の記録が終了すれば（ステップＳ６）、同様に、ステップＳ３の処理、ステップＳ４の処理、ステップＳ５の処理を行い、１週間分の番組に対する記録が終了すると（ステップＳ７）、システムコントローラ１０の所定時間記録処理部１０１の次チャンネル選択手段は、チューナ４を制御して、ＥＰＧデータに従った次のチャンネルを選択する（ステップＳ８）。
【００４１】
以上のような処理を全チャンネルに対して繰り返して行うことにより、全番組の所定時間分の映像がＨＤ１４に記録されることになる。
【００４２】
図４は本実施形態において所定時間記録した番組を更新する場合の処理を説明するためのフローチャートである。このフローチャートを参照して所定時間記録した番組を更新する場合の処理について説明する。
【００４３】
全チャンネルの１週間分の番組に対して所定時間記録する処理が終了して、再び、全チャンネルの番組に対して所定時間記録する処理を行う場合、システムコントローラ１０の所定時間記録処理部１０１の記録済み番組判定手段は、今回所定時間記録する番組は以前記録済みであるか否かを判定し（ステップＳ９）、今回所定時間記録する番組は以前記録済みでないと判定されたときは、今回所定時間記録する番組は所定時間ＨＤ１４に記録されるが（ステップＳ１２）、今回所定時間記録する番組は以前記録済みであると判定されたときは、リモコン１１の操作により更新設定されている場合、または装置に予め更新設定されている場合には、システムコントローラ１０の所定時間記録処理部１０１の映像更新手段は、更新指示が与えられていることになるので、同じ番組の所定時間分の映像を更新すると判定し（ステップＳ１０）、ＨＤ１４に以前所定時間記録した番組の映像を今回所定時間記録した番組の映像に更新する（ステップＳ１１）。なお、リモコン１１の操作により更新設定されていない場合、または装置に予め更新設定されていない場合には、以前所定時間記録した番組の映像を更新せずにそのままとする（ステップＳ１３）。
【００４４】
図５は本実施形態において放送予定の番組のサムネイル表示処理を説明するためのフローチャートである。このフローチャートおよび図１、図２を参照して放送予定の番組のサムネイル表示処理について説明する。
【００４５】
先ず、ＥＰＧデータによる番組表をテレビ受信機１２に表示させるため、リモコン１１の番組表キーが押下されると（ステップＮ１）、システムコントローラ１０は、メモリ１１６からＥＰＧデータを読み出し、ＯＳＤ処理部１１８に与える。これにより、ＥＰＧデータはＯＳＤ処理され、更に信号変換回路１２２に与えられて映像信号に変換され、映像出力部８を介してテレビ受信機１２に供給される。このような動作により、システムコントローラ１０は、テレビ受信機１２にＥＰＧによる番組表を表示することになる（ステップＮ２）。
【００４６】
そして、リモコン１１の操作により番組表の中の番組が指定されると（ステップＮ３）、システムコントローラ１０のサムネイル表示処理部１０２の番組判定手段は、指定された番組が所定時間記録済みであるか否かを判定する（ステップＮ４）。指定された番組が所定時間記録済みであるか否かの判定は、ＥＰＧデータを参照することにより、指定された番組が所定時間記録済みの番組のうちの番組と同じであるかどうかが分かり、その所定時間記録済みの番組のデータがＨＤ１４に有ることを検出すれば、指定された番組が所定時間記録済みであるということが分かる。一方、その指定された番組は所定時間記録済みでないと判定されたときは、サムネイルの表示は行わない（ステップＮ８）。
【００４７】
指定された番組が所定時間記録済みの番組と同じであれば、システムコントローラ１０のサムネイル表示処理部１０２は、その番組のタイトル情報により、ＨＤ１４に記録されている所定時間記録済みの番組の映像をハードディスク装置３を介して読み出し（ステップＮ５）、その映像をテレビ受信機１２に早送り再生でサムネイル表示させる（ステップＮ６）。そして、再びリモコン１１の番組表キーを押下すれば、番組表の表示処理が終了する（ステップＮ７）。
【００４８】
以上説明したように本実施形態によれば、所定時間記録処理部を設けたので、番組の内容を動画でサムネイル表示するための処理を全チャンネルの番組に対して行うことができ、また、記録媒体に前回所定時間記録された番組の映像を今回所定時間記録された番組の映像に更新でき、これにより、前回放送された番組の内容が分かり易くなり、また、記録媒体の記録領域も無駄に使用されることがない。また、サムネイル表示処理部を設けたので、ＥＰＧで番組表を確認する際に、記録媒体に所定時間記録された番組の映像を早送り再生でサムネイル表示することができ、番組の内容も早く確認することができる。
【００４９】
なお、前記実施形態では、ハードディスク装置と光ディスク装置との複合型情報記録再生装置に対して所定時間記録処理およびサムネイル表示処理を採用したが、これに限らず、ハードディスク装置だけの情報記録再生装置に所定時間記録処理およびサムネイル表示処理を採用しても良い。また、複合型情報記録再生装置は、ハードディスク装置と光ディスク装置とのうち、光ディスク装置の代わりにビデオカセットレコーダでも良い。複合型情報記録再生装置の場合は、大量の情報を記録できるハードディスク装置を少なくとも備えていれば良い。
【図面の簡単な説明】
【００５０】
【図１】本発明の一実施形態に係る複合型記録再生装置の構成を示すブロック図である。
【図２】前記実施形態の複合型記録再生装置に備えられたチューナの構成を示すブロック図である。
【図３】前記実施形態において番組を所定時間記録する処理を説明するためのフローチャートである。
【図４】前記実施形態において所定時間記録した番組を更新する場合の処理を説明するためのフローチャートである。
【図５】前記実施形態において放送予定の番組のサムネイル表示処理を説明するためのフローチャートである。
【符号の説明】
【００５１】
１２    テレビ受信機（表示手段）
１４    ハードディスク（記録媒体）
１０１    所定時間記録処理部（番組受信手段、記録処理手段、次チャンネル選択手段、次チャンネル記録処理手段、記録済み番組判定手段、映像更新手段）
１０２    サムネイル表示処理部（番組判定手段、サムネイル表示処理手段）
【図１】
2007180993.tif 000003
【図２】
2007180993.tif 000004
【図３】
2007180993.tif 000005
【図４】
2007180993.tif 000006
【図５】
2007180993.tif 000007